(57)【特許請求の範囲】
【請求項１】
乗場でかごの行先階が入力され、この行先階が登録されると、複数台のかごの中から上記行先階へ運転するかごを割り当てるエレベーターにおいて、
上記行先階を入力するテンキーと、
このテンキーの近傍に設けられこのテンキーにより登録された行先階及びこの行先階に割り当てられたかご号機を表示する表示器と、
行先階が表示されてからこの行先階に割り当てられたかご号機が表示されるまでの時間経過を表示する時間経過表示部と、を備え、
前記表示器は、前記行先階を表示する行先階表示部と前記行先階に割り当てられたかご号機を表示する呼び号機表示部とを有し、
前記時間経過表示部は、前記行先階表示部と前記呼び号機表示部との間に設けられ、前記時間経過に伴い前記行先階表示部側から前記呼び号機表示部側へと順次表示を変化させることにより前記時間経過を表示することを特徴とするエレベーターの行先階登録装置。
【請求項２】
表示される行先階及びかご号機は、互いに大きさ又は表示色を異ならせて表示するものとしたことを特徴とする請求項１記載のエレベーターの行先階登録装置。
【請求項３】
表示器には、行先階が入力されると上記行先階及びこの行先階に割り当てられたかご号機を、発生順にすべて表示するものとしたことを特徴とする請求項１又は請求項２記載のエレベーターの行先階登録装置。
【請求項４】
前記時間経過表示部は、複数の発光部から構成され、前記行先階表示部と前記呼び号機表示部の両者を結ぶハイフン部からなるとともに、前記時間経過に伴い前記複数の発光部を前記行先階表示部側のものから前記呼び号機表示部側のものへと順次累加して点灯していくことにより前記時間経過を表示することを特徴とする請求項１〜請求項３のいずれかに記載のエレベーターの行先階登録装置。
【請求項５】
表示器には、行先階が入力されると上記行先階及びこの行先階に割り当てられたかご号機を、上記行先階の階床数字順にすべて表示するものとしたことを特徴とする請求項１〜請求項４のいずれかに記載のエレベーターの行先階登録装置。
【請求項６】
請求項５に記載の表示器の外に、行先階が入力された時点でこの行先階及びこの行先階に割り当てられたかご号機を表示する表示器を別設したことを特徴とするエレベーターの行先階登録装置。
【発明の詳細な説明】
【０００１】
【発明の属する技術分野】
この発明は、乗場でかごの行先階を登録し、割当て号機を表示する装置に関するものである。
【０００２】
【従来の技術】
エレベーターは乗場に設置された乗場ボタンによる乗場呼びと、かご内に設置された行先ボタンによる行先呼びによって運転されることは周知である。この乗場とかご内でのボタン操作を１回で済ませるエレベーターが、例えば特開平１−２６７２７８号公報で開示されている。これは、従来かご内に設定されていた行先ボタンを乗場に設置し、乗場で行先呼びを登録するものであり、各かごの号機ごとに、登録された行先階が表示される。
【０００３】
【発明が解決しようとする課題】
上記のような乗場で行先呼びを登録する方式のエレベーターでは、号機ごとに行先階を表示するようにしているため、利用者は自分の行きたい階が既に登録されているかを、すべての号機について探す必要があって面倒であるという問題点がある。また、群管理されているエレベーターでは、行先ボタンを操作してから、どの号機が割り当てられるかを確認するには、ホールランタン等の点灯や報知音を頼りにして、利用者自らが探す必要があるという問題点がある。
【０００４】
この発明は上記問題点を解消するためになされたもので、利用者が自分の行きたい階の登録の有無及び自分の乗るべきかごを早く確認できるようにしたエレベーターの行先階登録装置を提供することを目的とする。
【０００５】
【課題を解決するための手段】
この発明の第１発明に係るエレベーターの行先階登録装置は、行先階を入力するテンキーの近傍に、行先階及びこの行先階に割り当てられたかご号機を表示するとともに、行先階表示と呼び号機表示との間に行先階が表示されてからこの行先階に割り当てられたかご号機が表示されるまでの時間経過を表示するようにしたものである。
【０００６】
また、第２発明に係るエレベーターの行先階登録装置は、第１発明のものにおいて、表示される行先階及びこの行先階に割り当てられたかご号機を、互いに大きさ又は表示色を異ならせて表示するようにしたものである。
【０００７】
また、第３発明に係るエレベーターの行先階登録装置は、第１又は第２発明のものにおいて、行先階が入力されると、行先階及びこの行先階に割り当てられたかご号機を、発生順にすべて表示するようにしたものである。
【０００８】
また、第４発明に係るエレベーターの行先階登録装置は、第１〜第３発明のものにおいて、行先階が表示されてからこの行先階に割り当てられたかご号機が表示されるまでの時間経過を、複数の発光部から構成され、行先階表示と呼び号機表示の両者を結ぶハイフン部により表示するようにしたものである。
【０００９】
また、第５発明に係るエレベーターの行先階登録装置は、第１〜第４発明のものにおいて、行先階が入力されると、行先階及びこの行先階に割り当てられたかご号機を、行先階の階床数字順にすべて表示するようにしたものである。
【００１０】
また、第６発明に係るエレベーターの行先階登録装置は、第５発明の表示器の外に、行先階が入力された時点でこの行先階及びこの行先階に割り当てられたかご号機を表示する表示器を別設したものである。
【００１１】
【発明の実施の形態】
実施の形態１．
図１及び図２はこの発明の第１及び第２発明の一実施の形態を示す図で、図１は行先階登録装置の正面図、図２はエレベーターの乗場正面図であり、図中同一符号は同一部分を示す。（以下の実施の形態も同じ。）
【００１２】
図において、Ａ〜Ｅはエレベーターのかごの号機、１Ａ〜１Ｅは各号機Ａ〜Ｅの出入口上部に設けられた号機名板、２はエレベーター利用者に分かりやすい位置や、エレベーター付近かつ利用者が必ず通行する通路等に設置された行先階登録装置、４は行先階登録用のテンキー、５は表示器で、行先階を表示する行先階表示部６と、呼び号機を表示する呼び号機表示部７と、この両者を結ぶハイフンを表示するハイフン部８からなっている。９はエレベーターのかご（図示しない）との連絡用のスピーカである。
【００１３】
次に、この実施の形態の動作を説明する。
エレベーターの利用者は、乗場に設置された行先階登録装置２のテンキー４を操作して行きたい階を入力する。この操作により、制御装置（図示しない）が動作して行先呼びが登録され、表示器５の行先階表示部６に行先階が表示される。続いて、制御装置により、上記行先呼びに割り当てられたかご号機が、呼び号機表示部７に表示されるとともに、ハイフン部８にハイフンが表示される。このかごの割当て手順等については、例えば特開平１−２６７２７８号公報に示されている。
【００１４】
上記呼び号機表示は、数字であると行先階表示と紛らわしいので、数字以外の表示体（アルファベット等）を使用し、かつ表示色を行先階表示とは変えて、大きさも行先階表示よりも大きく表示する。図１では３階の行先呼びに、Ａ号機が割り当てられたことを表示している。
【００１５】
これで、利用者は行先階を登録した場所で、自分の乗る号機を簡単かつ素早く知ることができ、表示器５に指示された号機へすぐに向かうことが可能となる。
なお、行先階登録装置２の上部に、利用者の現在位置と、そのエレベーターの位置関係が分かる簡単なマップが描かれたプレートなどを取り付けて置くと、更に号機を探す手間が省け、利用者の負担が軽くなる。
【００１６】
実施の形態２．
図３及び図４はこの発明の第３発明の一実施の形態を示す図で、図３は行先階登録装置の正面図、図４は複数段表示器の動作説明図である。なお、図２は実施の形態２にも共用する。
この実施の形態は、図３に示すように、図１の行先階登録装置２に複数段表示器１１を追加したものである。なお、１２は行先階の登録順を示す説明用の矢印である。
【００１７】
次に、この実施の形態の動作を図４を参照して説明する。
今、３階の行先呼びに、Ａ号機が割り当てられると、複数段表示器１１に（Ａ）に示すように「３−Ａ」と表示される。その後、５階の行先呼びにＣ号機が割り当てられると、（Ｂ）に示すように「３−Ａ」の表示は１段上へ移動し、その下に「５−Ｃ」と表示される。その後、１１階の行先呼びに、Ｂ号機が割り当てられると、（Ｃ）に示すように「５−Ｃ」の表示の下に「１１−Ｂ」と表示される。更に、９回の行先呼びに、Ｅ号機が割り当てられると、（Ｄ）に示すように「１１−Ｂ」の表示の下に「９−Ｅ」と表示される。
【００１８】
このように、既に登録された行先階と、それに対応する呼び号機が、複数段表示器１１に登録順に表示され、矢印１２に示すように、上段ほど先に登録されたものを表示するようになっている。これにより、後から来た利用者は、従来の行先階表示装置のように、自ら歩き回わって、全エレベーターの乗場表示を確認することなく、１箇所で簡単に、どの号機がどの階へ行くかを確認できる。そして、既に自分の行きたい階が表示されていれば、その号機へ向かい、そうでない場合は、上記と同様に行先階を登録することになる。なお、表示器５は設けなくても十分有用である。
【００１９】
実施の形態３．
図５はこの発明の第４発明の一実施の形態を示す表示器の動作説明図である。なお、図１及び図２は実施の形態３にも共用する。
この実施の形態は、図１に示す行先階登録装置２の表示器５に表示されるハイフン部８を複数（図では５個）の発光ダイオードで構成して時間経過表示部１３としたものである。
【００２０】
次に、この実施の形態の動作を説明する。
利用者がテンキー４を操作して３階を入力すると、既述のように行先階表示部６に「３」が表示される。次いで、時間経過表示部１３にハイフンが表示されるが、制御装置がかごを割り当てるまでに若干時間を要する場合は、時間経過表示部１３の発光ダイオードは５個同時に点灯せず、左のものから右へ順次に累加して点灯して行く。そして、Ａ号機への割当てが決定すると５個全部が点灯し、同時に呼び号機表示部７に「Ａ」が表示される。
【００２１】
このように、テンキー４を操作した後に、行先階だけが表示されるだけで、それ以外に何の表示もしない表示器５に対する利用者の不安感、すなわち操作を間違えたのではないかという不安感、及び待ち時間の焦燥感を緩和することが可能となる。また、間違えたのではないかと思って、再度テンキー４を操作したりするような誤操作防止にも役立つ。
【００２２】
実施の形態４．
図６及び図７はこの発明の第５及び第６発明の一実施の形態を示す図で、図６は行先階登録装置の正面図、図７は複数段表示器の動作説明図である。なお、図２は実施の形態４にも共用する。
この実施の形態は、実施の形態２が行先階及び呼び号機を登録順に表示したのに対し、行先階順に表示するようにしたものである。なお、１４は登録された行先階の階床数字順を示す説明用の矢印である。
【００２３】
次に、この実施の形態の動作を図７を参照して説明する。
今、５階の行先呼びに、Ａ号機が割り当てられると、複数段表示器１１に（Ａ）に示すように「５−Ａ」と表示される。その後、１１階の行先呼びにＣ号機が割り当てられると、（Ｂ）に示すように「１１−Ｃ」の表示は「５−Ａ」の表示の上に表示される。その後、６階の行先呼びに、Ｄ号機が割り当てられると、（Ｃ）に示すように「１１−Ｃ」の表示は１段上へ移動し、「６−Ｄ」の表示は「１１−Ｃ」と「５−Ａ」の間に表示される。更に、９階の行先呼びに、Ｅ号機が割り当てられると、（Ｄ）に示すように「１１−Ｃ」の表示は１段上へ移動し、「９−Ｅ」の表示は「１１−Ｃ」と「６−Ｄ」の間に表示される。
【００２４】
このように、行先階及び呼び号機を行先階順に、換言すれば下から上へと行先階の若い階床数字順に表示される。本来利用者は、どの号機に乗ればよいかということよりも、自分が何階に行きたいかということの方を先に考える場合が多い。その場合、行先階順に表示されていると、自分の行きたい階を探すのが極めて容易になり、利用者の利便性が向上する。
【００２５】
また、この場合は図４とは異なり、行先階は階床番号順に表示されるため、利用者の行きたい階が、既に表示されている行先階の間に表示されることもあり、分かりにくいことがある。しかし、利用者の行きたい階は表示器５にも表示されるため、利用者は自分の行きたい階が登録されたことを早く知ることが可能となる。ただし、表示器５は設けなくても十分有用である。
【００２６】
【発明の効果】
以上説明したとおりこの発明の第１発明では、行先階を入力するテンキーの近傍に、行先階及びこの行先階に割り当てられたかご号機を表示するようにしたので、利用者は行先階を登録した場所で、自分の乗る号機を簡単かつ素早く知ることができ、表示器に指示された号機へすぐに向かうことができるとともに、行先階が表示されてからこの行先階に割り当てられたかご号機が表示されるまでの時間経過を表示するようにしたので、利用者が操作を間違えたのではないかという不安感、及び待ち時間の焦燥感を緩和することができる。
【００２７】
また、第２発明では、表示される行先階及びこの行先階に割り当てられたかご号機を、互いに大きさ又は表示色を異ならせて表示するようにしたので、利用者に紛らわしさを与えることなく、直感的に分かりやすい表示とすることができる。
【００２８】
また、第３発明では、行先階が入力されると、行先階及びこの行先階に割り当てられたかご号機を、発生順にすべて表示するようにしたので、利用者は１箇所で簡単に、どの号機がどの階へ行くかを確認することができる。
【００２９】
また、第４発明では、行先階が表示されてからこの行先階に割り当てられたかご号機が表示されるまでの時間経過を、複数の発光部から構成され、行先階表示部と呼び号機表示の両者を結ぶハイフンにより表示するようにしたので、利用者が操作を間違えたのではないかという不安感、及び待ち時間の焦燥感を緩和することができる。
【００３０】
また、第５発明では、行先階が入力されると、行先階及びこの行先階に割り当てられたかご号機を、行先階の階床数字順にすべて表示するようにしたので、利用者は自分の行きたい階を探すのが極めて容易となり、利用者の利便性を向上することができる。
【００３１】
また、第６発明では、第５発明の表示器の外に、行先階が入力された時点で、この行先階及びこの行先階に割り当てられたかご号機を表示する表示器を別設したので、利用者は自分の行きたい階が登録されたことを早く知ることができる。
【図面の簡単な説明】
【図１】  この発明の実施の形態１を示す行先階登録装置の正面図。
【図２】  この発明の実施の形態１を示すエレベーターの乗場正面図。
【図３】  この発明の実施の形態２を示す行先階登録装置の正面図。
【図４】  図３の複数段表示器の動作説明図。
【図５】  この発明の実施の形態３を示す表示器の動作説明図。
【図６】  この発明の実施の形態４を示す行先階登録装置の正面図。
【図７】  図６の複数段表示器の動作説明図。
【符号の説明】
Ａ〜Ｅ  エレベーターのかごの号機、２  行先階登録装置、４  テンキー、５表示器、６  行先階表示部、７  呼び号機表示部、８  ハイフン部、１１  複数段表示器、１３  時間経過表示部。
【図１】
0004437590.tif 000002
【図２】
0004437590.tif 000003
【図３】
0004437590.tif 000004
【図４】
0004437590.tif 000005
【図５】
0004437590.tif 000006
【図６】
0004437590.tif 000007
【図７】
0004437590.tif 000008